(57)【要約】  【課題】  複数の検体検査機関で行われた検体検査の結果を結合する検体検査結果結合サーバ等を提供する。  【解決手段】  この検体検査連携サーバ２は、医療機関に設置されたクライアント端末３及び検体検査機関に設置されたサーバ７と接続されたサーバであって、患者ＩＤを受信する患者ＩＤ受信部３１と、患者ＩＤに基づいて、患者に対して複数の検体検査機関によってそれぞれ付与された複数の管理番号を出力する管理番号出力部４０と、複数の管理番号を送信する管理番号送信部３２と、複数の検体検査結果データを受信する検体検査結果データ受信部３３と、複数の検体検査結果データを結合して出力する検体検査結果データ結合部５０と、検体検査結果をクライアント端末３に送信する検体検査結果データ送信部３４とを具備する。【選択図】  図２
2005267373.tif 000002
【特許請求の範囲】
【請求項１】
医療機関に設置されたクライアント端末と複数の検体検査機関にそれぞれ設置された第１群のサーバと第２のサーバとをネットワークを介して接続することにより構成され、前記複数の検体検査機関においてそれぞれ行われた検体検査の結果データを結合するためのシステムにおいて用いられる検体検査結果結合方法であって、
前記第２のサーバが、検体検査対象の患者に対して前記医療機関によって付与された第１の識別子を前記クライアント端末から受信するステップ（ａ）と、
前記第２のサーバが、前記第１の識別子に基づいて、前記患者に対して前記複数の検体検査機関によってそれぞれ付与された第２群の識別子を得るステップ（ｂ）と、
前記第２のサーバが、前記第２群の識別子を前記第１群のサーバに送信するステップ（ｃ）と、
前記第２のサーバが、前記第２群の識別子にそれぞれ対応付けられた複数の検体検査結果データを前記第１群のサーバから受信するステップ（ｄ）と、
前記第２のサーバが、前記複数の検体検査結果データを結合するステップ（ｅ）と、
前記第２のサーバが、ステップ（ｅ）にて得られたデータを前記クライアント端末に送信するステップ（ｆ）と、
を具備する検体検査結果結合方法。
【請求項２】
ステップ（ｂ）が、
前記患者に対して前記複数の検体検査機関によってそれぞれ付与された前記第２群の識別子を前記第１の識別子に対応付けてそれぞれ格納する複数の識別子記録データを記録するための識別子記録部から、前記識別子受信部によって受信された前記第１の識別子に対応付けられた前記第２群の識別子を抽出して出力するステップを含む、請求項１記載の検体検査結果結合方法。
【請求項３】
ステップ（ｂ）が、
前記検体検査結果データを送信するための登録がなされている検体検査機関を記録するための検体検査機関登録データ記録部から、前記検体検査結果データを送信するための登録がなされている検体検査機関を抽出するステップを含む、請求項１又は２記載の検体検査結果結合方法。
【請求項４】
ステップ（ｅ）が、
前記複数の検体検査結果データを所定の形式に変換するステップ（ｅ１）を含む、請求項１〜３のいずれか１項に記載の検体検査結果結合方法。
【請求項５】
ステップ（ｅ）が、
ステップ（ｅ１）にて前記所定の形式に変換された前記複数の検体検査結果データを結合して出力するステップ（ｅ２）を更に含む、請求項４記載の検体検査結果結合方法。
【請求項６】
ステップ（ｅ）が、
ステップ（ｅ２）にて結合された検体検査結果データ内の検体検査項目値を標準化するための標準化情報を記録するための標準化情報に基づいて、前記検体検査項目値を標準化するステップ（ｅ３）を更に含む、請求項５記載の検体検査結果結合方法。
【請求項７】
ステップ（ｅ）が、
ステップ（ｅ３）にて標準化処理を施された検体検査結果データに時系列ソート処理を行うステップ（ｅ４）を更に含む、請求項６記載の検体検査結果結合方法。
【請求項８】
医療機関に設置されたクライアント端末及び複数の検体検査機関にそれぞれ設置された第１群のサーバとネットワークを介して接続され、前記複数の検体検査機関においてそれぞれ行われた検体検査の結果データを結合するための第２のサーバであって、
検体検査対象の患者に対して前記医療機関によって付与された第１の識別子を前記クライアント端末から受信する識別子受信部と、
前記第１の識別子に基づいて、前記患者に対して前記複数の検体検査機関によってそれぞれ付与された第２群の識別子を出力する識別子出力部と、
第２群の識別子を前記第１群のサーバに送信する識別子送信部と、
前記第２群の識別子にそれぞれ対応付けられた複数の検体検査結果データを前記第１群のサーバから受信する検体検査結果データ受信部と、
前記複数の検体検査結果データを結合して出力する検体検査結果データ結合部と、
前記検体検査結果データ結合部によって出力されたデータを前記クライアント端末に送信する検体検査結果データ送信部と、
を具備する検体検査結果結合サーバ。
【請求項９】
前記識別子出力部が、
前記患者に対して前記複数の検体検査機関によってそれぞれ付与された前記第２群の識別子を前記第１の識別子に対応付けてそれぞれ格納する複数の識別子記録データを記録するための識別子記録部と、
前記識別子受信部によって受信された前記第１の識別子に対応付けられた前記第２群の識別子を前記複数の識別子記録データから抽出して出力するための識別子変換部と、
を具備する、請求項８記載の検体検査結果結合サーバ。
【請求項１０】
前記識別子出力部が、
前記検体検査結果データを送信するための登録がなされている検体検査機関を記録するための検体検査機関登録データ記録部と、
前記検体検査機関登録データ記録部から前記検体検査結果データを送信するための登録がなされている検体検査機関を抽出する登録検体検査機関抽出部と
を具備する、請求項９又は１０記載の検体検査結果結合サーバ。
【請求項１１】
前記検体検査結果データ結合部が、
前記検体検査結果データ受信部によって受信された前記複数の検体検査結果データを所定の形式に変換するための形式変換部を具備する、請求項８〜１０のいずれか１項に記載の検体検査結果結合サーバ。
【請求項１２】
前記検体検査結果データ結合部が、
前記形式変換部によって前記所定の形式に変換された前記複数の検体検査結果データを結合して出力するための検体検査結果結合処理部を更に具備する、請求項１１記載の検体検査結果結合サーバ。
【請求項１３】
前記検体検査結果データ結合部が、
検体検査結果結合処理部によって結合された検体検査結果データ内の検体検査項目値を標準化するための標準化情報を記録するための標準化情報記録部と、
前記標準化情報に基づいて、前記検体検査結果データ内の検体検査項目値を標準化するための標準化処理部と、
を更に具備する、請求項１２に記載の検体検査結果サーバ。
【請求項１４】
前記検体検査結果データ結合部が、
前記標準化処理部によって標準化処理が施された検体検査結果データに時系列ソート処理を行うための時系列ソート処理部を具備する、請求項１３記載の検体検査結果結合サーバ。
【請求項１５】
医療機関に設置されたクライアント端末及び複数の検体検査機関にそれぞれ設置された第１群のサーバとネットワークを介して接続され、前記複数の検体検査機関においてそれぞれ行われた検体検査の結果データを結合するための第２のサーバに実行させるためのプログラムであって、
検体検査対象の患者に対して前記医療機関によって付与された第１の識別子を前記クライアント端末から受信する手順（ａ）と、
前記第１の識別子に基づいて、前記患者に対して前記複数の検体検査機関によってそれぞれ付与された第２群の識別子を得る手順（ｂ）と、
前記第２群の識別子を前記第１群のサーバに送信する手順（ｃ）と、
前記第２群の識別子にそれぞれ対応付けられた複数の検体検査結果データを前記第１群のサーバから受信する手順（ｄ）と、
前記複数の検体検査結果データを結合する手順（ｅ）と、
手順（ｅ）にて得られたデータを前記クライアント端末に送信する手順（ｆ）と、
を前記第２のサーバに実行させるための検体検査結果結合プログラム。
【請求項１６】
手順（ｂ）が、
前記患者に対して前記複数の検体検査機関によってそれぞれ付与された前記第２群の識別子を前記第１の識別子に対応付けてそれぞれ格納する複数の識別子記録データを記録するための識別子記録部から、前記識別子受信部によって受信された前記第１の識別子に対応付けられた前記第２群の識別子を抽出して出力する手順を含む、請求項１５記載の検体検査結果結合プログラム。
【請求項１７】
手順（ｂ）が、
前記検体検査結果データを送信するための登録がなされている検体検査機関を記録するための検体検査機関登録データ記録部から、前記検体検査結果データを送信するための登録がなされている検体検査機関を抽出する手順を含む、請求項１５又は１６記載の検体検査結果結合プログラム。
【請求項１８】
手順（ｅ）が、
前記複数の検体検査結果データを所定の形式に変換する手順（ｅ１）を含む、請求項１５〜１７のいずれか１項に記載の検体検査結果結合プログラム。
【請求項１９】
手順（ｅ）が、
手順（ｅ１）にて前記所定の形式に変換された前記複数の検体検査結果データを結合して出力する手順（ｅ２）を更に含む、請求項１８記載の検体検査結果結合プログラム。
【請求項２０】
手順（ｅ）が、
手順（ｅ２）にて結合された検体検査結果データ内の検体検査項目値を標準化するための標準化情報を記録するための標準化情報に基づいて、前記検体検査項目値を標準化する手順（ｅ３）を更に含む、請求項１９記載の検体検査結果結合プログラム。
【請求項２１】
手順（ｅ）が、
手順（ｅ３）にて標準化処理を施された検体検査結果データに時系列ソート処理を行うス手順（ｅ４）を更に含む、請求項２０記載の検体検査結果結合プログラム。
【発明の詳細な説明】
【技術分野】
【０００１】
本発明は、診断を目的とする検体検査の結果を結合するための検体検査結果結合方法及びサーバ並びに検体検査結果結合プログラムに関する。
【背景技術】
【０００２】
従来より、病院、診療所等の医療機関と、医療機関からの依頼を受けて患者の検体（血液、尿、痰、便等）の検査を行う検査機関とをネットワークで接続し、検体検査の結果を検査機関からネットワークを介して医療機関に送信することが行われている。
また、近年、医療機関と、複数の検査機関とをネットワークで接続することも提案されている（例えば、特許文献１参照）。
【０００３】
しかしながら、特許文献１に掲載された検体検査システム等は、患者が主検査機関以外の検査機関に属する委託検査機関において採血等を受けた場合に、検体検査の結果を主検査機関以外の検査機関の検査用端末から主検査機関の検査用端末に転送し、医療機関の医師用端末に通知し、電子カルテシステムに転送するものであり、患者の検体検査が複数の検査機関によって行われる場合を考慮したものではない。
【０００４】
【特許文献１】特開２００２−３２３４８９号公報（第６頁、図４）
【発明の開示】
【発明が解決しようとする課題】
【０００５】
そこで、上記の点に鑑み、本発明は、患者の検体検査が複数の検体検査機関で行われた場合に、その結果を結合することが可能な検体検査結果結合方法を提供することを目的とする。また、本発明は、そのような検体検査結果結合サーバ及び検体検査結果結合プログラムを提供することを更なる目的とする。
【課題を解決するための手段】
【０００６】
以上の課題を解決するため、本発明に係る検体検査結果結合方法は、医療機関に設置されたクライアント端末と複数の検体検査機関にそれぞれ設置された第１群のサーバと第２のサーバとをネットワークを介して接続することにより構成され、複数の検体検査機関においてそれぞれ行われた検体検査の結果データを結合するためのシステムにおいて用いられる検体検査結果結合方法であって、第２のサーバが、検体検査対象の患者に対して医療機関によって付与された第１の識別子をクライアント端末から受信するステップ（ａ）と、第２のサーバが、第１の識別子に基づいて、患者に対して複数の検体検査機関によってそれぞれ付与された第２群の識別子を得るステップ（ｂ）と、第２のサーバが、第２群の識別子を第１群のサーバに送信するステップ（ｃ）と、第２のサーバが、第２群の識別子にそれぞれ対応付けられた複数の検体検査結果データを第１群のサーバから受信するステップ（ｄ）と、第２のサーバが、複数の検体検査結果データを結合するステップ（ｅ）と、第２のサーバが、ステップ（ｅ）にて得られたデータをクライアント端末に送信するステップ（ｆ）とを具備する。
【０００７】
また、本発明に係る検体検査結果結合サーバは、医療機関に設置されたクライアント端末及び複数の検体検査機関にそれぞれ設置された第１群のサーバとネットワークを介して接続され、複数の検体検査機関においてそれぞれ行われた検体検査の結果データを結合するための第２のサーバであって、検体検査対象の患者に対して医療機関によって付与された第１の識別子をクライアント端末から受信する識別子受信部と、第１の識別子に基づいて、患者に対して複数の検体検査機関によってそれぞれ付与された第２群の識別子を出力する識別子出力部と、第２群の識別子を第１群のサーバに送信する識別子送信部と、第２群の識別子にそれぞれ対応付けられた複数の検体検査結果データを第１群のサーバから受信する検体検査結果データ受信部と、複数の検体検査結果データを結合して出力する検体検査結果データ結合部と、検体検査結果データ結合部によって出力されたデータをクライアント端末に送信する検体検査結果データ送信部とを具備する。
【０００８】
また、本発明に係る検体検査結果結合プログラムは、医療機関に設置されたクライアント端末及び複数の検体検査機関にそれぞれ設置された第１群のサーバとネットワークを介して接続され、複数の検体検査機関においてそれぞれ行われた検体検査の結果データを結合するためのサーバに実行させるためのプログラムであって、検体検査対象の患者に対して医療機関によって付与された第１の識別子をクライアント端末から受信する手順（ａ）と、第１の識別子に基づいて、患者に対して複数の検体検査機関によってそれぞれ付与された第２群の識別子を得る手順（ｂ）と、第２群の識別子を第１群のサーバに送信する手順（ｃ）と、第２群の識別子にそれぞれ対応付けられた複数の検体検査結果データを第１群のサーバから受信する手順（ｄ）と、複数の検体検査結果データを結合する手順（ｅ）と、手順（ｅ）にて得られたデータをクライアント端末に送信する手順（ｆ）とを第２のサーバに実行させる。
【発明の効果】
【０００９】
上記構成によれば、患者の検体検査が複数の検体検査機関で行われた場合にその結果を結合することができる。これにより、医師等が検体検査の結果を把握することが容易となる。
【発明を実施するための最良の形態】
【００１０】
以下、図面に基づいて本発明の実施の形態について説明する。なお、同一の構成要素には同一の参照番号を付して、説明を省略する。
図１は、本発明の一実施形態に係る検査予約方法を実現するためのシステムの構成を示すブロック図である。図１に示すように、このシステム１は、医療機関１１、１２、１３、…、検体検査機関２１、２２、２３、…が、広域ネットワークを介して、検体検査連携サーバ２に接続されることにより構成される。なお、広域ネットワークとして、専用回線、公衆回線、インターネット等を利用することができる。
このシステム１は、検体検査機関２１、２２、２３、…で行われた検体検査の結果を結合して医療機関１１、１２、１３、…に送信するためのシステムである。ここでは、Ａ医療機関１１の依頼により、検体検査機関２１、２２、２３、…が検体検査を行った場合について説明する。
【００１１】
医療機関１１、１２、１３、…の各々には、放射線画像撮影装置や超音波診断装置等の撮影モダリティ４と、撮影モダリティ４からの医用画像データの入力等を行うためのクライアント端末３と、ファイアウォール機能を有するゲートウェイ６と、医用画像をフィルム等にプリントアウトするためのプリンタ５等が、ローカルエリアネットワーク（ＬＡＮ）を介して接続されている。
クライアント端末３は、撮影モダリティ４を制御すると共に、撮影モダリティ４から画像データを入力することができ、さらに、画像データに対して画像処理を施したり、画像データに基づいて診断用の画像を表示することができる。
【００１２】
検体検査機関２１、２２、２３、…には、サーバ７がそれぞれ設置されており、このサーバ７には、医療機関１１、１２、１３、…からの依頼により行った検体検査の結果データが記録されている。一般に、検体検査機関２１、２２、２３、…の各々においては、他の検体検査機関と異なる独自の管理番号が被検査者（医療機関１１、１２、１３、…の患者）に付与されている。検体検査機関２１、２２、２３、…のサーバ７の各々は、この管理番号に対応させて検体検査結果データを記録する。
【００１３】
図２は、検体検査連携サーバ２の構成の概要を示すブロック図である。図２に示すように、検体検査結合サーバ２は、患者ＩＤ受信部３１と、管理番号出力部４０と、管理番号送信部３２と、検体検査結果データ受信部３３と、検体検査結果データ結合部５０と、検体検査結果送信部３４とを具備する。また、管理番号出力部４０は、検体検査機関登録情報記録部４１と、登録検体検査機関抽出部４２と、管理番号記録部４３と、患者ＩＤ変換部４４とを具備し、検体検査結果データ結合部５０は、標準形式変換部５１と、検体検査結果データサマリ部５２と、標準化情報記録部５３と、標準化処理部５４と、時系列ソート部５５とを具備する。
【００１４】
患者ＩＤ受信部３１は、医療機関１１、１２、１３、…に設置されたクライアント端末３から、検体検査結果を結合する対象である患者の患者ＩＤを受信する。なお、患者ＩＤは、医療機関１１、１２、１３、…によって患者（被検査者）に付与される番号である。
検体検査機関登録情報記録部４１は、検体検査結果データを検体検査連携サーバ２に送信するための登録を受けている検体検査機関を記録する。図３は、検体検査機関登録情報の例を示す図である。
【００１５】
再び図２を参照すると、登録検体検査機関抽出部４２は、検体検査機関登録記録部４１に記録されている検体検査機関名を抽出する。
管理番号記録部４３は、検体検査機関２１、２２、２３、…によって複数の被検査者（患者）にそれぞれ付与された複数の管理番号を患者ＩＤに対応させて記録する。図４は、管理番号記録部４３に記録されているデータの例を示す図である。図４に示すように、例えば、患者「富士  太郎」（患者ＩＤ「１２３４５６７８」）には、ａ検体検査機関２１によって管理番号「４３４７２８４５８３」が付与されている。また、患者「富士  太郎」（患者ＩＤ「１２３４５６７８」）には、ｂ検体検査機関２２によって管理番号「８９２３７３５７」が付与されている。
【００１６】
再び図２を参照すると、患者ＩＤ変換部４４は、管理番号記録部４３を参照することにより、検体検査機関２１、２２、２３、…によって患者ＩＤに対応付けられた複数の管理番号を出力する。
管理番号出力部３２は、患者ＩＤ変換部４４によって出力された複数の管理番号を、検体検査機関２１、２２、２３、…にそれぞれ設置されているサーバ７に送信する。
【００１７】
検体検査結果データ受信部３３は、管理番号送信部３２によって送信された複数の管理番号に対する応答としての複数の検体検査結果データをサーバ７から受信する。一般に、検体検査結果データの形式は、検体検査機関によって異なるため、検体検査結果データ受信部３３によって受信された複数の検体検査結果データは、異なる形式である場合が考えられる。そこで、標準形式変換部５１は、検体検査結果データ受信部３３によって受信された複数の検体検査結果データを所定の形式（例えば、ＨＬ７（Health Level Seven）等）に変換する。
【００１８】
検体検査結果データサマリ部５２は、標準形式変換部５１によって所定の形式に変換された複数の検体検査結果データをサマリし、１つの検体検査結果データを作成する。
ところで、同じ検体に対する同じ検査が複数の検体検査機関によって行われる場合があり、この場合に、使用する試薬等の違いにより、検査項目値が異なってしまうことがある。このようなときには、検査結果の値を修正（標準化）する必要がある。標準化情報記録部５３は、上記したような場合における検体検査機関２１、２２、２３、…による検体検査結果の値を修正するための標準化情報を記録する。図５は、標準化情報記録部５３に記録される標準化情報の例を示す図である。
標準化処理部５４は、標準化情報記録部５３に記録されている標準化情報を参照し、検体検査結果データサマリ部５２によってサマリされた検体検査結果データに標準化処理を行う。
【００１９】
時系列ソート部５５は、標準化処理部５４によって標準化された検体検査結果データ内の各データを時系列にソートする。
検体検査結果送信部３４は、時系列ソート部５５によって時系列ソートされた検体検査結果データをクライアント端末３に送信する。
【００２０】
なお、図２に示す患者ＩＤ受信部３１、患者ＩＤ変換部４４、管理番号送信部３２、検体検査結果データ受信部３３、標準形式変換部５１、検体検査結果データサマリ部５２、標準化処理部５４、時系列ソート部５５、及び、検体検査結果送信部３４は、ＣＰＵとソフトウェア（プログラム）で構成することができる。このプログラム並びに検体検査機関登録情報、管理番号情報、標準化情報は、ハードディスク、フレキシブルディスク、ＭＯ、ＭＴ、ＲＡＭ、ＣＤ−ＲＷ、又は、ＤＶＤ−ＲＡＭ等の記録媒体に記録することができる。
【００２１】
図６及び図７は、システム１の検体検査結果結合処理の概要を示すフローチャートである。以下、システム１の動作について、図６及び図７を参照しながら説明する。
まず、医療機関（本実施形態においては、Ａ医療機関１１とする）に設置されたクライアント端末３が、Ａ医療機関１１の患者の一覧画像を表示する（ステップＳ１１）。図８は、このときのクライアント端末３の表示画面の例を示す図である。ここでは、Ａ医療機関１１の医師が、所望の患者（ここでは、患者「富士  太郎」とする）を選択するものとし、クライアント端末３は、医師によって選択された患者の患者ＩＤ（ここでは、「１２３４５６７８」）を検体検査連携サーバ２に送信し、患者「富士  太郎」の検体検査の結果を要求する（ステップＳ１２）。クライアント端末３によって送信された患者ＩＤは、検体検査連携サーバ２の患者ＩＤ受信部３１によって受信される。
【００２２】
次に、検体検査連携サーバ２の登録検体検査機関抽出部４２は、検体検査結果データを検体検査連携サーバ２に送信するための登録を受けている検体検査機関を検体検査機関登録情報記録部４１から抽出する（ステップＳ２１）。
そして、患者ＩＤ変換部４４は、管理番号記録部４３を参照し、患者ＩＤ受信部３１によって受信された患者ＩＤ（ここでは、「１２３４５６７８」）を各検体検査機関における管理番号に変換する（ステップＳ２２）。例えば、ａ検体検査機関２１においては、患者ＩＤが「１２３４５６７８」である患者（ここでは、「富士  太郎」）には、管理番号「４３４７２８４５８３」が付与されており、患者ＩＤ変換部４４は、ａ検体検査機関２１における管理番号として「４３４７２８４５８３」を抽出する。同様に、患者ＩＤ変換部４４は、ｂ検体検査機関２２における管理番号として「８９２３７３５７」を抽出する。
【００２３】
管理番号送信部３２は、患者ＩＤ変換部４４によって抽出された複数の管理番号を検体検査機関２１、２２、２３、…に送信し、検体検査結果データを要求する（ステップＳ２３）。
【００２４】
先に説明したように、検体検査機関２１、２２、２３、…のサーバ７には、検体検査結果データが管理番号に対応付けて記録されている。例えば、ａ検体検査機関２１のサーバ７には、患者「富士  太郎」の検体検査結果データが管理番号「４３４７２８４５８３」に対応付けて記録されている。同様に、ｂ検体検査機関２２のサーバ７には、患者「富士  太郎」の検体検査結果データが管理番号「８９２３７３５７」に対応付けて記録されている。検体検査機関２１、２２、２３、…のサーバ７は、検体検査連携サーバ２の管理番号送信部３２によって送信された管理番号をキーとして検体検査結果データをそれぞれ抽出し、検体検査連携サーバ２にそれぞれ送信する（ステップＳ３１）。検体検査連携サーバ２の検体検査結果データ受信部３３は、検体検査機関２１、２２、２３、…によってそれぞれ送信された複数の検体検査結果データを受信する。
【００２５】
検体検査連携サーバ２の標準形式変換部５１は、検体検査結果データ受信部３３によって受信された複数の検体検査結果データを所定の形式（例えば、ＨＬ７等）に変換する（ステップＳ２４）。これにより、複数の検体検査結果データの形式を統一することができる。
そして、検体検査結果データサマリ部５２は、標準形式変換部５１によって所定の形式に変換された複数の検体検査結果データをサマリし、１つの検体検査結果データを出力する（ステップＳ２５）。
【００２６】
次に、標準化処理部５４は、検体検査結果データサマリ部５２によってサマリされた検体検査結果データに標準化処理を行う（ステップＳ２６）。
ところで、ある患者に対して、同じ検体検査が、日又は時を変えて、複数回行われる場合がある。そこで、時系列ソート部５５は、このような場合に、標準化処理部５４によって標準化された検体検査結果データ内の検査項目値を時系列にソートする（ステップＳ２７）。
【００２７】
検体検査結果送信部３４は、時系列ソート部５５によって時系列ソートされた検体検査結果を表示するためのデータをＡ医療機関１１内に設置されているクライアント端末３に送信する（ステップＳ２８）。なお、このとき、検体検査結果送信部３４は、検体検査結果を表示するためのデータをＨＴＭＬ（HyperText Mark-up Language）、ＸＭＬ（eXtensible Mark-up Language）等のデータとして送信することとしても良い。また、検体検査結果を表又はグラフとして表示するためのデータとして送信することとしても良い。
【００２８】
Ａ医療機関１１内のクライアント端末３は、検体検査連携サーバ２内の検体検査結果送信部３４から受信したデータに基づいて、患者「富士  太郎」の検体検査結果を表示する（ステップＳ１３）。図９は、このときのクライアント端末３の表示画面の例を示す図である。なお、画面表示とともに又は画面表示に替えて、プリントアウトすることとしても良い。
Ａ医療機関１１の医師は、この画面を見ることにより、患者「富士  太郎」の検体検査結果を確認することができる。
【００２９】
このように、本実施形態によれば、ある患者（ここでは、「富士  太郎」）に対する検体検査が複数の検体検査機関（ここでは、ａ検体検査機関２１及びｂ検体検査機関２２）によって行われた場合に、これらの検体検査結果を医療機関（ここでは、Ａ医療機関１１）に設置されたクライアント端末３において表示することができる。また、各検査項目値が標準化されているため、同一の検査項目が複数の検体検査機関によって行われた場合であっても比較できる。
また、検体検査結果データはサーバ７に記録されているので、検体検査連携サーバ２は検体検査結果データを保存する必要がなく、検体検査連携サーバ２のハードウェア量を少なくすることができ、検体検査機関を新規に登録する場合に迅速に対応することが可能である。
【００３０】
なお、医療機関１１、１２、１３、…、検体検査機関２１、２２、２３、…、及び、患者の３者間の合意の上で、他の医療機関の依頼による検体検査結果を併せて表示することとしても良い。例えば、Ｂ医療機関１２の依頼により、患者「富士  太郎」に対する検体検査がｃ検体検査機関２３によって行われていた場合に、この検体検査結果を、Ａ医療機関１１の依頼によりａ検体検査機関２１及びｂ検体検査機関２２によって行われた検体検査の結果と併せてＡ医療機関１１のクライアント端末３に表示することとしても良い。
【産業上の利用可能性】
【００３１】
本発明は、複数の検体検査機関において行われた検体検査の結果を結合するための検体検査結果結合方法、検体検査結果結合サーバ、及び、検体検査結果結合プログラムにおいて利用可能である。
【図面の簡単な説明】
【００３２】
【図１】本発明の一実施形態に係る検体検査結果結合方法を実現するためのシステムを示すブロック図である。
【図２】図１の検体検査連携サーバ２の内部構成を示すブロック図である。
【図３】図２の検体検査機関登録情報記録部４１に記録されている検体検査機関登録情報の例を示す図である。
【図４】図２の管理番号記録部４３に記録されている管理番号の例を示す図である。
【図５】図２の標準化情報記録部５３に記録されている標準化情報の例を示す図である。
【図６】図１のシステム１の動作を示すフローチャートである。
【図７】図１のシステム１の動作を示すフローチャートである。
【図８】図１のクライアント端末３の表示画面上に表示される患者選択画面の例を示す図である。
【図９】図１のクライアント端末３の表示画面上に表示される検体検査結果表示画面の例を示す図である。
【符号の説明】
【００３３】
１  システム
２  検体検査連携サーバ
３  クライアント端末
４  撮影モダリティ
５  プリンタ
６  ゲートウェイ
７  サーバ
１１、１２、１３、…  医療機関
２１、２２、２３、…  検体検査機関
３１  患者ＩＤ受信部
３２  管理番号送信部
３３  検体検査結果データ受信部
３４  検体検査結果送信部
４０  管理番号出力部
４１  検体検査機関登録情報記録部
４２  登録検体検査機関抽出部
４３  管理番号記録部
５０  検体検査結果データ結合部
５１  標準形式変換部
５２  検体検査結果データサマリ部
５３  標準化情報記録部
５４  標準化処理部
５５  時系列ソート部
【図１】
2005267373.tif 000003
【図２】
2005267373.tif 000004
【図３】
2005267373.tif 000005
【図４】
2005267373.tif 000006
【図５】
2005267373.tif 000007
【図６】
2005267373.tif 000008
【図７】
2005267373.tif 000009
【図８】
2005267373.tif 000010
【図９】
2005267373.tif 000011